(57)【要約】【課題】複数系統の光源を有する装置における光源の不点灯、或いは光量の低下による異常を精度良く検出できる画像読み取り装置を提供する。【解決手段】この画像読み取り装置では、導光体が原稿の幅方向である主走査方向の両端側に設けられる光源としての複数のＬＥＤ基板の各ＬＥＤからの入射光を合成して原稿に対して帯状の光束として出射するＬＥＤ点灯（１３０１）を行い、レベル検出手段が原稿の読み取り時に白データレベルの検出を主走査方向の先端側及び後端側の光源の近傍の位置で行って第１保持部、第２保持部へ保存（１３０２〜１３０６）し、異常判定部（異常検出手段）が検出された２つの白データレベルの差分値と閾値（ＴＨ）との比較（１３０７）から光源の異常の有無を検出（ＴＨ≧差分値でなければ異常検出及び読取動作禁止に係る１３０８〜１３１０、ＴＨ≧差分値であれば読取動作実行に係る１３１１〜１３１３を実行）する。【選択図】図１３
2011193514.tif 000002
【特許請求の範囲】
【請求項１】
原稿を照射する光源を有し、当該原稿からの反射光を光電変換素子により検出してアナログ画像信号を取得し、当該アナログ画像信号をデジタル化して出力する画像読み取り装置において、
前記原稿の幅方向である主走査方向の両端側に設けられる前記光源としての複数のＬＥＤと、前記複数のＬＥＤからの入射光を合成して前記原稿に対して帯状の光束として出射する導光体と、前記原稿の読み取り時に白データレベルの検出を主走査方向の先端側及び後端側の前記光源の近傍の位置で行うレベル検出手段と、検出された２つの前記白データレベルの差分値と所定の閾値との比較結果に基づいて前記光源の異常の有無を検出する異常検出手段と、を備えたことを特徴とする画像読み取り装置。
【請求項２】
請求項１記載の画像読み取り装置において、前記異常検出手段が前記光源の異常を検出した場合、前記原稿の読み取り動作を禁止することを特徴とする画像読み取り装置。
【請求項３】
請求項１記載の画像読み取り装置において、前記異常検出手段が前記光源の異常を検出した場合、カラー画像の読み取りを停止し、モノクロ画像の読み取りを可能とすることを特徴とする画像読み取り装置。
【請求項４】
請求項１〜３の何れか１項記載の画像読み取り装置において、前記異常検出手段による前記光源の異常検出結果を操作部に表示する手段を備えたことを特徴とする画像読み取り装置。
【請求項５】
請求項１〜４の何れか１項記載の画像読み取り装置を備えたことを特徴とする画像形成装置。
【発明の詳細な説明】
【技術分野】
【０００１】
本発明は、画像読み取り装置及び画像形成装置に係り、特に、複数系統の光源を有し、イメージスキャナ、デジタル複写機、ファクシミリ等に使用して好適な画像読み取り装置及び該装置を有する画像形成装置に関する。
【背景技術】
【０００２】
近年、画像読み取り装置の高速化により、読み取り画像のＳＮの確保が課題となってきている。ＳＮ確保のためには、原稿面の光量を上げる必要があるが、従来の１系統の光源を有する画像読み取り装置は、駆動電流、発熱等の制約から所望の光量を得ることができない場合がある。このため、複数系統の光源を搭載した画像読み取り装置が提案されている。複数系統の光源を有する画像形成装置は、光源の異常が発生する確率も高くなり、異常発生による光源の不点灯が発生した場合、ＳＮの劣化及びＳＮの劣化に伴う画像処理回路の誤動作が発生することが懸念されている。
【０００３】
光源の不点灯等の異常の検出は、従来、予め決められたスレッシュレベルに対して光源点灯時の出力レベルが小さいことを検知して行われている。光源が１系統の画像読み取り装置は、光源の点灯、不点灯の検出を比較的容易に行うことができた。しかし、複数系統の光源を有する画像形成装置における光源の点灯、不点灯、あるいは、光量の低下による異常の検出は困難であった。
【０００４】
複数の光源を有する画像読み取り装置における光源の異常を検出することを可能にした従来技術として、例えば、特許文献１等に記載された技術が知られている。この従来技術は、主走査線上の複数の位置で基準白レベルを検出してその平均値を算出し、複数箇所から検出した白レベルの比率から光源の異常を検出するというものである。しかし、この従来技術は、主走査全体のレベルが一律低下するような場合に、複数箇所から検出した白レベルの比率からでは異常を検出することができないものである。
【０００５】
また、他の従来技術として、特許文献２等に記載された技術が知られている。この従来技術は、主走査線上の基準白レベルのピーク値を検出し、ピーク値が目標値になるように光源の光量を調整し、目標値に調整できない場合に光源が異常であるとする検出方法である。しかし、この従来技術は、検出までに多くの時間を要するという問題があり、原稿読み取り毎に毎回検出を行うことができないものである。
【０００６】
また、この従来技術は、基準白レベルのピーク値を利用する検出方法のため、複数の発光体の合成光量が原稿面光量となる照射系を有する場合、光源である発光体の１つが不点灯の場合でも端部のピークレベルはほとんど変化しないため、発光体の異常検出を精度よく行うことができないものである。
【発明の概要】
【発明が解決しようとする課題】
【０００７】
前述したように、従来技術は、複数系統の光源を有する画像形成装置（画像読み取り装置）における光源の点灯、不点灯、あるいは、光量の低下による異常の検出を行うことが困難であり、且つ異常検出を精度良く行うことができないという問題点を有している。
【０００８】
本発明の目的は、複数系統の光源を有する装置における光源の不点灯、或いは光量の低下による異常を精度良く検出することを可能にした画像読み取り装置及びそれを備えた画像形成装置を提供することにある。
【課題を解決するための手段】
【０００９】
前記目的を達成するため、本発明の第１の手段は、原稿を照射する光源を有し、当該原稿からの反射光を光電変換素子により検出してアナログ画像信号を取得し、当該アナログ画像信号をデジタル化して出力する画像読み取り装置において、前記原稿の幅方向である主走査方向の両端側に設けられる前記光源としての複数のＬＥＤと、前記複数のＬＥＤからの入射光を合成して前記原稿に対して帯状の光束として出射する導光体と、前記原稿の読み取り時に白データレベルの検出を主走査方向の先端側及び後端側の前記光源の近傍の位置で行うレベル検出手段と、検出された２つの前記白データレベルの差分値と所定の閾値との比較結果に基づいて前記光源の異常の有無を検出する異常検出手段と、を備えたことを特徴とする。
【００１０】
本発明の第２の手段は、第１の手段において、前記異常検出手段が前記光源の異常を検出した場合、前記原稿の読み取り動作を禁止することを特徴とする。
【００１１】
本発明の第３の手段は、第１の手段において、前記異常検出手段が前記光源の異常を検出した場合、カラー画像の読み取りを停止し、モノクロ画像の読み取りを可能とすることを特徴とする。
【００１２】
本発明の第４の手段は、第１の手段〜第３の手段の何れか１つの手段において、前記異常検出手段による前記光源の異常検出結果を操作部に表示する手段を備えたことを特徴とする。
【００１３】
本発明の第５の手段は、第１の手段〜第４の手段の何れか１つの手段における画像読み取り装置を画像形成装置が備えたことを特徴とする。
【発明の効果】
【００１４】
本発明の画像読み取り装置、及びそれを備えた画像形成装置によれば、主走査方向の先端側及び後端側の光源の近傍の位置で検出された２つの白データレベルの差分値と所定の閾値との比較結果に基づいて光源の異常の有無を検出するため、複数系統の光源を有する装置における光源の不点灯、或いは光量の低下による異常を精度良く検出することができる。
【図面の簡単な説明】
【００１５】
【図１】本発明が適用される画像読み取り装置としての被読み取り原稿処理装置（ＡＤＦ）の基本構成を示す断面図である。
【図２】画像読み取り装置の機能構成を示すブロック図である。
【図３】本発明の実施例１に係る画像読み取り装置の回路構成を示すブロック図である。
【図４】図３に示す画像読み取り装置に備えられる第２読み取り部の光源とセンサアレイの部分の部品配置の構成例を示す図である。
【図５】図４に示す複数のＬＥＤ基板上のＬＥＤが正常な発光を行っている場合の主走査方向の照度分布の例を示す図である。
【図６】図４に示すＬＥＤ基板上のＬＥＤが不点灯となった場合の主走査方向の照度分布を示す図である。
【図７】図４に示すＬＥＤ基板上のＬＥＤが不点灯となった場合の主走査方向の照度分布を示す図である。
【図８】本発明の実施例１に係る画像読み取り装置の制御動作を説明するフローチャートである。
【図９】本発明の実施例２に係る画像読み取り装置の回路構成を示すブロック図である。
【図１０】図９に示す画像読み取り装置における制御動作を説明するフローチャートである。
【図１１】本発明の実施例３に係る画像読み取り装置の制御動作を説明するフローチャートである。
【図１２】本発明の実施例４に係る画像読み取り装置の回路構成を示すブロック図である。
【図１３】本発明の実施例５に係る画像読み取り装置の制御動作を説明するフローチャートである。
【図１４】本発明の実施例７に係る画像読み取り装置に備えられるＬＥＤ基板上の各ＬＥＤを制御するＬＥＤ制御部の構成を示すブロック図である。
【図１５】図１４のＬＥＤ制御部に係るＬＥＤ制御用の各Ｄｕｔｙの信号のタイミング例を示す図である。
【図１６】本発明の実施例６に係る画像読み取り装置の制御動作を説明するフローチャートである。
【図１７】図１６の画像読み取り装置の回路構成を示すブロック図である。
【図１８】本発明の実施例７に係る画像読み取り装置の制御動作を説明するフローチャートである。
【発明を実施するための形態】
【００１６】
以下、本発明の画像読み取り装置及びそれを備えた画像形成装置について、幾つかの実施例を挙げ、図面を参照して詳細に説明する。
【００１７】
図１は本発明が適用される画像読み取り装置としての被読み取り原稿処理装置（ＡＤＦ）の基本構成を示す断面図であり、図２は画像読み取り装置の機能構成を示すブロック図である。
【００１８】
図１に示す画像読み取り装置は、被読み取り原稿を固定の読み取り装置部に搬送し所定の速度で搬送しながら画像の読み取りを行うものであり、被読み取り原稿束をセットする原稿セット部Ａ、セットされた原稿束から原稿を１枚ずつに分離して給送する分離給送部Ｂ、給送された原稿を一次突当整合する働きと、整合後の原稿を引き出して搬送する働きとを行うレジスト部Ｃ、搬送される原稿をターンさせて、原稿面を読み取り側（下方）に向けて搬送するターン部Ｄ、原稿の表面画像をコンタクトガラスの下方より読み取らせる第１読み取り搬送部Ｅ、表面画像の読み取り後の原稿の裏面画像を読みとる第２読み取り搬送部Ｆ、表裏の読み取りが完了した原稿を機外に排出する排紙部Ｇ、読み取り完了後の原稿を積載保持するスタック部Ｈにより構成されている。
【００１９】
また、画像読み取り装置は、図２に示すように、前述したような、原稿の搬送動作の駆動を行う各種のモータによる駆動部１０１〜１０５、前述した搬送経路に配置される各種センサ、これらのセンサからの信号を受けて駆動部１０１〜１０５を制御することにより、一連の動作を制御するＡＤＦ制御部であるコントローラ部１００を備えて構成されている。そして、コントローラ１００は、画像形成装置の本体制御部１１１にＩ／Ｆ１０７を介して接続されており、本体制御部１１１は、操作部１０８に接続されている。さらに、コントローラ１００は、第２読み取り部２５に接続されて、読み取りの制御を行っている。第２読み取り部２５により読み取られた原稿の裏面側の画像データは、本体制御部１１１に送られる。なお、図１、図２には示していないが、原稿の表面側の画像を読み取る第１読み取り部も、コントローラ１００に接続されて制御される。
【００２０】
前述において、読み取りを行うべき原稿束１は、可動原稿テーブル３を含む原稿テーブル２の上に原稿表面を上向きの状態でセットされ、原稿束１の幅方向が図示しないサイドガイドによって搬送方向と直行する方向に位置決めされる。この原稿のセットは、セットフィラー４、セットセンサ５により検知され、コントローラ１００、Ｉ／Ｆ１０７を介して本体制御部１１１に送信される。
【００２１】
さらに、原稿テーブル面に設けられた原稿長さ検知センサ３０または３１（反射型センサ、または、原稿１枚であっても検知可能なアクチェーター・タイプのセンサが用いられる）により、原稿の搬送方向長さの概略が判定される。このセンサとしては、少なくとも同一原稿サイズの縦か横かを判断可能なセンサが用いられる。
【００２２】
可動原稿テーブル３は、底板上昇モータ１０５により図１に矢印で示すａ、ｂ方向に上下動可能に構成されており、原稿がセットされたことが、前述のセットフィラー４、セットセンサ５により検知されると、底板上昇モータ１０５が正転させられ、底板ホームポジションセンサ６の位置から離れて原稿束の最上面がピックアップローラ７と接触するように上昇させられる。
【００２３】
ピックアップローラ７は、ピックアップモータ１０１によりカム機構により図１に矢印で示すｃ、ｄ方向に動作されると共に、可動原稿テーブル３が上昇し可動テーブル３上の原稿上面により押されてｃ方向に上がり、テーブル上昇検知センサ８により上限が検知されるようになっている。
【００２４】
その後、本体操作部１０８におけるプリントキー等が押下されると、本体制御部１１１からＩ／Ｆ１０７を介してコントローラ１００に原稿給紙信号が送信される。これにより、ピックアップローラ７は、給紙モータ１０２の正転によりコロが回転駆動され、原稿テーブル２上の数枚（理想的には１枚）の原稿をピックアップする。その回転方向は、最上位の原稿を給紙口に搬送する方向である。
【００２５】
給紙ベルト９は、給紙モータ１０２の正転により給紙方向に駆動され、リバースローラ１０は、１０２の正転により給紙と逆方向に回転駆動され、最上位の原稿とその下の原稿とを分離して、最上位の原稿のみを給紙する。さらに詳しく説明すると、リバースローラ１０は、給紙ベルト９と所定圧で接し、給紙ベルト９と直接接している状態、または、原稿１枚を介して接している状態では、給紙ベルト９の回転につられて反時計方向につれ回りする。そして、リバースローラ１０は、連れ回り力がトルクリミッターのトルクよりも低くなるように設定されており、原稿が２枚以上給紙ベルト９とリバースローラ１０との間に侵入した場合に、本来の駆動方向である時計方向に回転して、余分な原稿を押し戻す働きをし、原稿の重送を防止する。
【００２６】
給紙ベルト９とリバースローラ１０との作用により１枚に分離された原稿は、給紙ベルト９によってさらに送られ、突き当てセンサ１１によって先端が検知され、さらに進んで停止しているプルアウトローラ１２に突き当たる。その後、原稿は、前述の突き当てセンサ１１の検知から所定量定められた距離送られ、結果的に、プルアウトローラ１２に所定量の撓みを持って押し当てられた状態となる。この状態で、給紙モータ１０２は、停止するようにコントローラ１００により制御され、これにより、給紙ベルト９の駆動が停止される。このとき、ピックアップモータ１０１を回転させることにより、ピックアップローラを原稿上面から退避させ、原稿を給紙ベルト９の搬送力のみで送ることにより、原稿先端は、プルアウトローラ１２の上下ローラ対のニップに進入し、先端の整合（スキュー補正）が行われる。
【００２７】
プルアウトローラ１２は、前述したスキュー補正機能を有すると共に、分離後にスキュー補正された原稿を中間ローラ１４まで搬送するためのローラであり、給紙モータ１０２の逆転により駆動される。この給紙モータ１０２の逆転のとき、プルアウトローラ１２と中間ローラ１４とは、駆動されているが、ピックアップローラ７と給紙ベルト９とは駆動されていない。
【００２８】
原稿幅センサ１３は、図１の奥行き方向、すなわち、原稿の幅方向に複数個並べられ、プルアウトローラ１２により搬送された原稿の搬送方向に直行する幅方向のサイズを検知する。また、原稿の搬送方向の長さは、原稿の先端後端を突き当てセンサ１１で読み取ることにより、モータパルスから検知される。
【００２９】
プルアウトローラ１２及び中間ローラ１４の駆動によりレジスト部Ｃからターン部Ｄに原稿が搬送される際には、レジスト部Ｃでの搬送速度を読み取り、搬送部Ｅでの搬送速度よりも、ターン部Ｄでの速度を高速になるように設定して、原稿を読み取り部へ送り込む処理時間の短縮が図られている。
【００３０】
原稿がさらに送られて、原稿先端が読み取り入口センサ１５により検出されると、読み取り入口ローラ１６の上下ローラ対のニップに原稿先端が進入する前に、原稿搬送速度を読み取り搬送速度と同速にするために減速を開始すると同時に、読み取りモータ１０３を正転駆動して読み取り入口ローラ１６、読み取り出口ローラ２３、ＣＩＳ出口ローラ２７が駆動される。
【００３１】
原稿の先端をレジストセンサ１７が検知すると、原稿は、所定の搬送距離をかけて減速され、読み取り位置２０の手前で一時停止させられると共に、コントローラ１００、Ｉ／Ｆ１０７を介して本体制御部１１１にレジスト停止信号が送信される。続いて、コントローラ１００は、本体制御部１１１から読み取り開始信号を受信すると、レジスト停止していた原稿を、読み取り位置２０に原稿先端が到達するまでに所定の搬送速度に立ち上がるように増速制御して搬送する。
【００３２】
読み取りモータのパルスカウントにより検出された原稿先端が読み取り部に到達するタイミングで、コントローラ１００から本体制御部１１１に対して第１面（原稿表面）の副走査方向有効画像領域を示すゲート信号が、コンタクトガラス２１の下方に配置される図示しない第１読み取り部を原稿後端が抜けるまで送信される。この間に、原稿の表面画像が、コンタクトガラス２１の下方から第１読み取り部により読み取られる。第１読み取りローラ１９は、第１読み取り部におけるコンタクトがラス２１からの原稿の浮きを抑えると同時に、第１読み取り部におけるシェーディングデータを取得するための基準白部を兼ねるものである。
【００３３】
片面原稿読み取りの場合、読み取り搬送部Ｅを通過した原稿は、第２読み取り部２５を経て排紙部Ｇへ搬送される。この際、排紙センサ２４により原稿の先端が検知されると、排紙モータ１０４は、正転駆動されて排紙ローラ２８を反時計方向に回転させ、原稿を排紙するが、排紙センサ２４による原稿の先端検知からの排紙モータパルスカウントにより、原稿後端が排紙ローラ２８の上下ローラ対のニップから抜ける直前に排紙モータ１０４の駆動速度を減速させて、排紙トレイ２９上に排出される原稿が飛び出さないように制御される。
【００３４】
両面原稿読み取りの場合、排紙センサ２４が原稿先端を検知してから読み取りモータのパルスカウントにより第２読み取り部２５に原稿先端が到達するタイミングで第２読み取り部２５に対して、コントローラ１００から本体制御部１１１に対して第２面（原稿裏面）の副走査方向有効画像領域を示すゲート信号が、第２読み取り部２５を原稿後端が抜けるまで送信される。この間に、原稿の裏面画像が、第２読み取り部２５により読み取られる。第２読み取りローラ２６は、第２読み取り部における原稿の浮きを抑えると同時に、第２読み取り部におけるシェーディングデータを取得するための基準白部を兼ねるものである。
【実施例１】
【００３５】
図３は本発明の実施例１に係る画像読み取り装置の回路構成を示すブロック図である。図３中には、第２読み取り部（第二読取部）２５を中心とした画像読み取り装置の回路構成を示しているが、第１読み取り部（第一読取部）に対しても、同様な回路構成をとることができる。
【００３６】
図３に示す画像読み取り装置は、第２読み取り部２５と、この第２読み取り部２５からのデジタル化された画像データの、第２読み取りローラ２６の特定位置、エリアの画像平均値を算出する平均化処理部３０７と、平均化処理部３０７からの基準データである基準白データレベル値を保持する第１保持部３０９及び画像読み取り直前の画像平均値である比較用の白データレベル値を保持する第２保持部３０８と、第１及び第２保持部に保持されている２つのレベル値の差をとる差分検出器３１０と、この差分検出器３１０からの差分値と予め定めた判定用基準値であるＴＨ値（閾値）とを比較することにより、画像読み取り装置の光源の異常を検出し、異常を検出した場合に、コントローラ１００に異常を通知するする異常判定部３１１と、前述の各機能部全体の制御を行うコントローラ１００と、により構成されている。第１保持部３０９及び第２保持部３０８は、不揮発性メモリ等により構成しておくのがよい。
【００３７】
また、第２読み取り部２５は、図示しないタイミング生成回路により駆動され、原稿からの反射光を電気信号に変換したアナログ画像信号を出力する光電変換素子であるセンサＩＣ３０１と、該センサＩＣ３０１からのアナログ画像信号をデジタル画像信号に変換して平均化処理部３０７に出力する信号処理ＩＣ３０２と、コントローラ１００からの指示に従って、画像読み取り装置の光源であるＬＥＤの光量を制御するＬＥＤ制御部３２１と、により構成されている。
【００３８】
信号処理ＩＣ３０２は、クランプ回路３０３と、サンプルホールド回路３０４と、プログラマブルゲインアンプ３０５と、ＡＤコンバータ３０６と、により構成される。センサＩＣ３０１からのアナログ画像信号は、クランプ回路３０３により、信号処理ＩＣ３０２の内部基準電位にクランプされる。サンプルホールド回路３０４は、クランプされたアナログ画像信号を、図示しない信号処理ＩＣ駆動信号の１つであるサンプルパルスによりサンプリングして、レベルを保持することにより連続的なアナログ画像信号にする。その後、このアナログ画像信号は、プログラマブルゲインアンプ３０５によりで所定の増幅率に従って増幅された後、ＡＤコンバータ３０６によりでデジタル画像データに変換される。変換されたデジタル画像データは、画像形成装置を構成する図示しない画像処理部へ出力されると共に平均化処理部３０７に出力される。
【００３９】
図３に示す画像読み取り装置での光源の異常検出のタイミングは、画像読み取り毎に行うものとするが、画像形成装置の電源ＯＮ時１回だけ行ってもよいし、ＡＤＦへの複数枚の原稿が搭載されたときの最初の１回でもよい。
【００４０】
図４は実施例１に係る画像読み取り装置に備えられる第２読み取り部２５の光源とセンサアレイとの部分の部品配置の構成例を示す図である。原稿読み取り用の光を照射するための光源としては、原稿の幅方向（原稿の搬送方向に対して直角な方向であり、主走査方向である）の両端側に設けられる複数のＬＥＤが用いられる。図４（ａ）の平面図に示す例では、両端側のそれぞれに、ＬＥＤ基板４０１ａ、４０１ｃ及びＬＥＤ基板４０１ｂ、４０１ｄが配置されて、各基板に光源であるＬＥＤを搭載している。ＬＥＤ基板４０１ａと４０１ｂとの間及びＬＥＤ基板４０１ｃと４０１ｄとの間には、原稿面に光束を出射する導光体４０２ａ、４０２ｂが設けられている。
【００４１】
そして、図４（ｂ）の側面図に示すように、ＬＥＤ基板４０１ａ〜４０１ｄ上のＬＥＤから出射された光は、導光体４０２ａ、４０２ｂの内部で光反射及び拡散が行われて、原稿４０５に対して帯状の均一な照度を有する光束として出射される。光束が照射された原稿４０５の帯状の部分に対向して、原稿４０５上の画像からの反射光を等倍センサアレイ４０４（図に示すセンサＩＣ３０１）に導くレンズであるＳＬＡ４０３が配置されており、原稿４０５上の画像からの反射光は、ＳＬＡ４０３を介して等倍センサアレイ４０４により受光されて光電変換される。
【００４２】
図４に示す例は、光源であるＬＥＤを両端側のそれぞれに、２つずつ４個設けるとして説明したが、ＬＥＤは、両端側のそれぞれに１つずつ２個配置してもよい。その場合、導光体を１つとして、その両側に１つずつのＬＥＤを配置してもよく、また、導光体を２つ設けたままとして、各導光体の反対側となる位置にＬＥＤを配置し、ＬＥＤを配置していない導光体の端部にミラー等の光反射材を設けるようにしてもよい。何れの場合にも、原稿４０５に対して帯状の均一な照度を有する光束として出射できればよい。
【００４３】
次に、前述したような実施例１に用いられる複数の光源を有する画像読み取り装置による主走査方向の照度分布の例について説明する。
【００４４】
図５は図４に示す複数のＬＥＤ基板４０１ａ〜４０１ｄ上のＬＥＤが正常な発光を行っている場合の主走査方向の照度分布の例を示す図である。図５に示すように、主走査先端側は、ＬＥＤ基板４０１ａ、４０１ｃ上のＬＥＤの光量が支配的になり、主走査後端側は、ＬＥＤ基板４０１ｂ、４０１ｄ上のＬＥＤの光量が支配的になる。そして、両サイドからの光量が合成された実線で示すものが原稿面の主走査照度分布となり、図５に示す全ＬＥＤの合成分光分布がこれに当たる。
【００４５】
図６は図４に示すＬＥＤ基板４０１ａ上のＬＥＤが不点灯となった場合の主走査方向の照度分布を示す図である。図６に示す例の場合、主走査先端側の光量が低下することになり、全ＬＥＤの合成光量分布は、主走査方向に対してフラットな分布にはならないが、後端側の光量への影響は小さい。この場合、主走査中のピークレベルを検出する従来技術の場合、ＬＥＤの不点灯を検出することができない。
【００４６】
図７は図４に示すＬＥＤ基板４０１ａ、４０１ｂ上のＬＥＤが不点灯となった場合の主走査方向の照度分布を示す図である。図７に示す例の場合、主走査先端側及び後端側の光量が同じ量だけ低下することになるので、全ＬＥＤの合成光量は下がるが、その分布は主走査方向に対してフラットとなる。
【００４７】
図５〜図７に説明したように、主走査方向の両端に複数光源を配置した画像読み取り装置の場合、光源の異常により、主走査方向に複数の照度分布パターンを生成することになり、白レベル検出の出力レベルの低下、主走査方向の出力分布バラツキを精度よく検出して光源の不点灯、光量低下の検出することを難しくしている。
【００４８】
以下には、図４を参照して説明したような複数光源を有する画像読み取り装置における光源の異常を容易に検出できるようにするための幾つかのパターンを説明する。
【００４９】
図８は本発明の実施例１に係る画像読み取り装置の制御動作を説明するフローチャートであり、次に、これについて説明する。ここで説明する制御及び以後に制御する制御は、いずれもコントローラ１００により行われる処理である。なお、図８（ａ）は電源投入時のフローであり、図８（ｂ）は読み取り時のフローであるが、以下では、全体を続けて説明する。
【００５０】
（１）画像読み取り装置を備える画像形成装置等の電源が投入されると、まず、前述で説明したＬＥＤを点灯し、基準白部を兼ねる第２読み取りローラ２６の基準白部のレベルを検出し、異常検出用の基準白データを取得する（ステップ８０１、８０２）。
【００５１】
（２）次に、取得した基準白データのレベルの絶対値と、予め決定して設定され、不揮発性メモリ等に保持しているＴＨ１レベル値（複数設けられているＬＥＤの全てが正常に点灯されたことにより得ることができるレベルに基づいて決められている）とを比較し、取得した基準白データのレベル値がＴＨ１のレベルより小さいか否かを判定する（ステップ８０３）。
【００５２】
（３）ステップ８０３の判定で、取得した基準白データのレベル値がＴＨ１のレベルより小さかった場合、光源であるＬＥＤの少なくとも１つが点灯していない、或いは幾つかのＬＥＤの光量が大きく低下していると判断して、異常検出フラグをセットし、ＬＥＤを消灯制御し、その後の原稿の読み取り動作を禁止する（ステップ８０４〜８０６）。
【００５３】
（４）ステップ８０３の判定で、取得した基準白データのレベル値がＴＨ１のレベルより大きかった場合、検出された基準白レベルが正常であると判断して、この基準白レベルの値を第１保持部３０９に保存し、ＬＥＤを消灯する制御を行って待機状態となる（ステップ８０７、８０８）。
【００５４】
（５）電源のＯＮ時に正常と判断されて待期状態となった後、原稿の読み取り動作が開始されると、画像読み取り前に光源の異常検出を行ため、電源ＯＮ時と同様に、ＬＥＤを点灯し、基準白部を兼ねる第２読み取りローラ２６の基準白部のレベルを検出し、検出した比較用の白部レベルの値を第２保持部３０８へ保存する（ステップ８１０〜８１２）。
【００５５】
（６）次に、ステップ８１２の処理で第２保持部３０８に保持した比較用の白レベルの値と電源ＯＮ時に第１保持部３０９に保持した基準白レベルの値との差分を算出し、この差分と予め決められ、不揮発性メモリ等に保持されているＴＨレベルとを比較し、ＴＨレベルが差分の値を越えているか否かを判定する（ステップ８１３）。
【００５６】
（７）ステップ８１３の判定で、差分の値がＴＨレベルの値を越えている、すなわち、差分の値がＴＨレベルの値より大きかった場合、電源ＯＮ時から原稿読み取りまでの間に光源であるＬＥＤの少なくとも１つが点灯しない状態になった、或いは幾つかのＬＥＤの光量が大きく低下したと判断して、異常検出フラグをセットし、ＬＥＤを消灯制御し、その後の原稿の読み取り動作を禁止する（ステップ８１４〜８１６）。
【００５７】
（８）ステップ８１３の判定で、差分の値がＴＨレベルの値を越えていなかった、すなわち、差分の値がＴＨレベルの値より小さかった場合、検出された比較用の白レベルが正常であると判断して、原稿の読み取り動作を実行し、読み取り終了後にＬＥＤ消灯制御して正常終了する（ステップ８１７〜８１９）。
【実施例２】
【００５８】
図９は本発明の実施例２に係る画像読み取り装置の回路構成を示すブロック図である。図９に示す画像読み取り装置は、基本的に、図３に示した実施例１の場合と同様に構成されている。図３に示す画像読み取り装置との相違は、第２保持部３０８のデータを第１保持部３０９のデータとして更新することが可能な構成とされている点である。
【００５９】
図９に示す実施例２に係る画像読み取り装置は、画像読み取り終了後、または、開始時にコントローラ１００からＮ＿Ｌｏａｄ信号を制御することにより第２保持部３０８保持されていたデータを第１保持部３０９にロードし、この値をその後の原稿の読み取り動作での基準白レベルの値として利用する。
【００６０】
一般に、画像形成装置は、電源ＯＮ時、原稿読み取りの開始から終了までの間に、各種の処理動作に伴う機器内部の温度が上昇する。この温度上昇により、ＬＥＤが持つ温度特性により、その光量が変化する。本発明の第２の実施形態は、このような温度上昇によるＬＥＤの光量の変化に対応して、基準白レベルの値を更新することにより、よりＳＮのよい画像データを得ることができるようにしたものである。
【００６１】
図１０は本発明の実施例２に係る画像読み取り装置の制御動作を説明するフローチャートであり、次に、これについて説明する。なお、図１０は読み取り時のフローを示しており、電源ＯＮ時のフローは、図８（ａ）に示したものと同一である。図１０に示すフローの図８（ｂ）に示したフローとの相違は、原稿の読み取り動作を実行した後のＬＥＤ消灯制御のステップ８１８と、読み取り終了のステップ８１９との間に、第２保持部３０８のデータを第１保持部３０９に移して、第１保持部３０９のデータを更新するステップ１００１の処理を追加したことだけである。
【実施例３】
【００６２】
図１１は本発明の実施例３に係る画像読み取り装置の制御動作を説明するフローチャートであり、次に、これについて説明する。なお、画像読み取り装置の回路構成は、図９により説明したものと同一である。図１１に示すフローは、電源ＯＮ時のものであるが、原稿読み取り時の制御は、前述した実施例１または実施例２の場合と同一であってよい。また、この実施例３において、処理の開始時、第１保持部３０９には前回の電源遮断前に保持されていた基準白レベルの値が保持されているものとする。
【００６３】
（１）電源のＯＮ時に光源の異常検出を行ため、ＬＥＤを点灯し、基準白部を兼ねる第２読み取りローラ２６の基準白部のレベルを検出し、検出した基準白レベルの値を第２保持部３０８へ保存する（ステップ１１０１〜１１０３）。
【００６４】
（２）次に、第１保持部３０９に保持されていた前回の電源遮断前に保持されていた基準白部レベルの値とステップ１１０３の処理で第２保持部３０８に保持した基準白レベルの値との差分を算出し、この差分と予め決められているＴＨレベルとを比較し、ＴＨレベルが差分の値を越えているか否かを判定する（ステップ１１０４）。
【００６５】
（３）ステップ１１０４の判定で、差分の値がＴＨレベルの値を越えている、すなわち、差分の値がＴＨレベルの値より大きかった場合、前回の電源遮断から今回の電源ＯＮ時までの間に光源であるＬＥＤの少なくとも１つが点灯しない状態になった、或いは幾つかのＬＥＤの光量が大きく低下したと判断して、異常検出フラグをセットし、ＬＥＤを消灯制御し、その後の原稿の読み取り動作を禁止する（ステップ１１０５〜１１０７）。
【００６６】
（４）ステップ１１０４の判定で、差分の値がＴＨレベルの値を越えていなかった、すなわち、差分の値がＴＨレベルの値と同一または小さかった場合、検出された基準白部レベルが正常であると判断して、ＬＥＤを消灯する制御を行い、第２保持部３０８のデータを第１保持部３０９に移して第１保持部のデータを更新して待機状態となる（ステップ１１０８、１１０９）。
【実施例４】
【００６７】
図１２は本発明の実施例４に係る画像読み取り装置の回路構成を示すブロック図である。図１２に示す画像読み取り装置は、基本的に、図３に示した実施例１の場合と同様に構成されている。図３に示す画像読み取り装置との相違は、第２読み取りローラ２６の基準白部のレベルを検出する位置を指定する位置指定部１２０１が設けられて、位置指定信号が平均化処理部３０７に与えられている点である。そして、この実施例４では、コントローラ１００により平均化処理部３０７の平均値算出位置を制御可能としている。
【実施例５】
【００６８】
図１３は本発明の実施例５に係る画像読み取り装置の制御動作を説明するフローチャートであり、次に、これについて説明する。なお、画像読み取り装置の回路構成は、図３により説明した実施例１の場合と同一である。この実施例５では、図１２に示す実施例４の場合における基準白部のレベルを検出する位置を、主走査先端部と主走査後端部とに設定した場合の例である。図１３に示すフローは、原稿読み取り時のフローであり、この実施例５の場合には、読み取り動作時に、主走査の場所による基準白レベルを比較検出して光源の異常検出を行うようにしているので、電源投入時の処理は不要となる。
【００６９】
（１）原稿の読み取り動作が開始されると、画像読み取り前に光源の異常検出を行ため、ＬＥＤを点灯し、基準白部を兼ねる第２読み取りローラ２６の基準白部のレベルを、主走査先端部の位置で検出し、検出した白レベルの値を第１保持部３０９へ保存する（ステップ１３０１〜１３０３）。
【００７０】
（２）次に、基準白部を兼ねる第２読み取りローラ２６の基準白部のレベルを、主走査後端部の位置で検出し、検出した白レベルの値を第２保持部３０８へ保存する（ステップ１３０４〜１３０５）。
【００７１】
（３）第１保持部３０９に保持した白レベルの値と、第２保持部３０８に保持した白部レベルの値との差分を算出し、算出した差分値と予め定めたＴＨレベルとを比較し、ＴＨレベルが差分の値を越えているか否かを判定する（ステップ１３０６、１３０７）。
【００７２】
（４）ステップ１３０７の判定で、差分の値がＴＨレベルを越えている場合、主走査先端部の位置と主走査後端部の位置とで光量が大きく相違していることを意味し、片側のＬＥＤの少なくとも１つが点灯しない状態になった、或いは片側のＬＥＤの光量が大きく低下したと判断して、異常検出フラグをセットし、ＬＥＤを消灯制御し、その後の原稿の読み取り動作を禁止する（ステップ１３０８〜１３１０）。
【００７３】
（５）ステップ１３０７の判定で、差分の値がＴＨレベルを越えていなかった、すなわち、差分の値がＴＨレベルの値と同一または小さかった場合、両端側に配置したＬＥＤが正常であると判断して、原稿の読み取り動作を実行し、その後に、ＬＥＤを消灯制御して正常終了する（ステップ１３１１〜１３１３）。
【００７４】
前述で説明した実施例５の処理では、図４により説明したように、ＬＥＤが両端側のそれぞれに、２つずつ４個設けられていて、両端側の１つずつのＬＥＤが点灯しない異常が生じた場合に、異常を検出することはできないが、２つのＬＥＤが同時に異常となる確率は極めて小さいため問題となることはなく、また、そのような状態で原稿の読み取り動作が行われた場合、多少のＳＮの劣化が生じるものの正常な原稿の読み取りを行うことができる。
【実施例６】
【００７５】
図１６は本発明の実施例６に係る画像読み取り装置の制御動作を説明するフローチャート、図１７は図１６の画像読み取り装置の回路構成を示すブロック図である。
【００７６】
図１７に示す実施例６に係る画像読み取り装置は、図３で説明した実施例１の場合に対して、検出した白レベル値を保持する第１及び第２保持部、差分検出器、異常判定部を発光体の数だけ設けて構成したものである。この例では、図４により説明したように、ＬＥＤが両端側のそれぞれに、２つずつ４個設けられているものとして、４系統を有しているものとして示している。図１７において、第１保持部１７０１〜第４保持部が、図３における第１保持部３０９に対応し、第５保持部１７０５〜第８保持部１７０８が、図３における第２保持部３０８に対応する。
【００７７】
次に、図１６に示すフローにより実施例６での説明動作について説明する。なお、図１６（ａ）は電源投入時のフローであり、図１６（ｂ）は読み取り時のフローであるが、以下では、全体を続けて説明する。また、ここでの処理は、４つのＬＥＤの異常を１つずつ検出するが、その順序は任意であり、４つのＬＥＤをＬＥＤ１〜４として説明する。
【００７８】
（１）画像読み取り装置を備える画像形成装置等の電源が投入されると、まず、ＬＥＤ１を点灯制御し、基準白部を兼ねる第２読み取りローラ２６の基準白部のレベルを検出し、異常検出用の基準白データを取得し、取得した基準白レベルの値を第１保持部１７０１に保持し、その後ＬＥＤ１を消灯制御する（ステップ１６０１〜１６０４）。
【００７９】
（２）次に、ＬＥＤ２を点灯制御し、基準白部を兼ねる第２読み取りローラ２６の基準白部のレベルを検出し、異常検出用の基準白データを取得し、取得した基準白レベルの値を第２保持部１７０２に保持し、その後ＬＥＤ２を消灯制御する（ステップ１６０５〜１６０８）。
【００８０】
（３）次に、ＬＥＤ３を点灯制御し、基準白部を兼ねる第２読み取りローラ２６の基準白部のレベルを検出し、異常検出用の基準白データを取得し、取得した基準白レベルの値を第３保持部１７０３に保持し、その後ＬＥＤ３を消灯制御する（ステップ１６０９〜１６１２）。
【００８１】
（４）次に、ＬＥＤ４を点灯制御し、基準白部を兼ねる第２読み取りローラ２６の基準白部のレベルを検出し、異常検出用の基準白データを取得し、取得した基準白レベルの値を第３保持部１７０４に保持し、その後ＬＥＤ４を消灯制御し、待期状態となる（ステップ１６１３〜１６１６）。
【００８２】
ここまでの処理により、各ＬＥＤ毎の異常検出用の基準白レベルのデータを生成することができる。なお、前述では、ＬＥＤは、全て点灯するものとしているが、それぞれのＬＥＤに対する点灯の制御処理を行い、基準白レベルを取得した後に、実際に各ＬＥＤが点灯したか否かを検出する検出処理を挿入する必要がある。この検出処理は、取得したデータと予め決定して設定されて、不揮発性メモリに保持されているＴＨ２レベル値とを比較して行うことができ、点灯できなかったとき、或いは光量が所定以上低下していたとき、読み取り動作を禁止する。
【００８３】
（５）電源のＯＮ時に正常と判断されて待機状態となった後、原稿の読み取り動作が開始されると、画像読み取り前に各ＬＥＤの異常検出を行ため、電源ＯＮ時と同様に、ＬＥＤ１を点灯制御し、基準白部を兼ねる第２読み取りローラ２６の基準白部のレベルを検出し、検出した比較用の白部レベルの値を第５保持部１７０５へ保存する（ステップ１６１７〜１６１９）。
【００８４】
（６）次に、ステップ１６０３の処理で第１保持部１７０１に保存した基準白レベルの値とステップ１６１９の処理で第５保持部１７０５に保存した比較用の白レベルの値との差分を演算し、この差分と予め決められているＴＨレベルとを比較し、ＴＨレベルが差分の値を越えているか否かを判定する（ステップ１６２０）。
【００８５】
（７）ステップ１６２０の判定で、差分の値がＴＨレベルを越えていた場合、ＬＥＤ１が点灯しない状態になった、或いは光量が低下したと判断して、異常検出フラグをセットし、ＬＥＤ１を消灯制御し、その後の原稿の読み取り動作を禁止する（ステップ１６２１〜１６２３）。
【００８６】
（８）ステップ１６２０の判定で、差分の値がＴＨレベルを越えていなかった場合、検出された比較用の白部レベルが正常であると判断し、一旦、ＬＥＤ１を消灯制御し、ＬＥＤ２〜ＬＥＤ４について、前述したＬＥＤ１の場合と同様に、異常の有無をチェックし、ＬＥＤ１〜ＬＥＤ４の全てが正常であった場合、ＬＥＤ１〜ＬＥＤ４の全てを点灯制御して、原稿の読み取り動作を実行して正常終了する。
【００８７】
以上に説明した各実施例では、光源であるＬＥＤが点灯しない、或いは光量低下の異常が生じたことを検出した場合に、画像読み取り動作を停止させるとして説明したが、本発明は、異常検出結果から異常発生した光源の光量を個別に調整するようにすることもでき、次に、その場合の実施例を説明する。
【実施例７】
【００８８】
図１４は本発明の実施例７に係る画像読み取り装置に備えられるＬＥＤ基板４０１ａ〜４０１ｄ上の各ＬＥＤを制御するＬＥＤ制御部３１２の構成を示すブロック図、図１５は図１４のＬＥＤ制御部３１２に係るＬＥＤ制御用のＤｕｔｙ１〜Ｄｕｔｙ４の信号のタイミング例を示す図である。この実施例７に係る画像読み取り装置の回路構成は、図１７に示したものと同一でよく、４系統の光源を有しているものとする。
【００８９】
図１４に示すように、各系統のＬＥＤ基板４０１ａ〜４０１ｄ上のＬＥＤの光量を制御するため、各ＬＥＤとコントローラ１００との間には、定電流回路とスイッチング回路とを有する駆動回路１４０１〜１４０４が設けられ、駆動回路１４０１〜１４０４には、コントローラ１００からの制御信号であるＤｕｔｙ１〜Ｄｕｔｙ４の信号が印加される。
【００９０】
Ｄｕｔｙ１〜Ｄｕｔｙ４の信号は、図１５に示すように、ラインの同期信号であるＸＬＳＹＮＣの１周期内での“Ｈ”期間の長さがコントローラ１００により制御される。駆動回路１４０１〜１４０４は、Ｄｕｔｙ１〜Ｄｕｔｙ４の信号の“Ｈ”期間に、各ＬＥＤ基板４０１ａ〜４０１ｄ上のＬＥＤに電流を流し、各ＬＥＤを発光させる。Ｄｕｔｙ１〜Ｄｕｔｙ４の信号の“Ｈ”期間は、個別に制御することが可能であり、これにより、各ＬＥＤの光量を制御することができる。
【００９１】
図１８は本発明の実施例７に係る画像読み取り装置の制御動作を説明するフローチャートであり、次に、これについて説明する。図１８に示すフローは、原稿読み取り時に、画像読み取り前に行われるものであり、電源ＯＮ時の処理は、図１６（ａ）により説明した場合と同様である。
【００９２】
（１）電源のＯＮ時に正常と判断されて待期状態となった後、原稿の読み取り動作が開始されると、画像読み取り前に各ＬＥＤの異常検出を行ため、電源ＯＮ時と同様に、ＬＥＤ１を点灯制御し、基準白部を兼ねる第２読み取りローラ２６の基準白部のレベルを検出し、検出した比較用の白部レベルの値を第５保持部１７０５へ保存する（ステップ１８０１〜１８０３）。
【００９３】
（２）次に、電源ＯＮ時の処理で第１保持部１７０１に保存した基準白レベルの値とステップ１６１９の処理で第５保持部１７０５に保存した比較用の白レベルの値との差分を演算し、この差分と予め決められているＴＨレベルとを比較し、ＴＨレベルが差分の値を越えているか否かを判定する（ステップ１８０４）。
【００９４】
（３）ステップ１８０４の判定で、差分の値がＴＨレベルを越えていた場合、ＬＥＤ１の光量が低下したと判断して、ＬＥＤ基板１上ＬＥＤの点灯Ｄｕｔｙ制御信号であるＤｕｔｙ１の“Ｈ”期間を差分値から算出される期間に変更し、再度、基準白部を兼ねる第２読み取りローラ２６の基準白部のレベルを検出し、検出した比較用の白部レベルの値を第５保持部１７０５へ保存する（ステップ１８０５〜１８０７）。
【００９５】
（４）次に、電源ＯＮ時の処理で第１保持部１７０１に保存した基準白レベルの値とステップ１６１９の処理で第５保持部１７０５に保存した比較用の白レベルの値との差分を演算し、この差分と予め決められているＴＨレベルとを比較し、ＴＨレベルが差分の値を越えているか否かを判定する（ステップ１８０８）。
【００９６】
（５）ステップ１８０４の判定で、差分の値がＴＨレベルを越えていた場合、Ｄｕｔｙ１の信号の“Ｈ”期間の設定がｍａｘ設定か否か確認し、ｍａｘ設定でなかった場合、ステップ１８０５からの処理に戻って処理を繰り返す（ステップ１８０９）。
【００９７】
（６）ステップ１８０９の判定で、Ｄｕｔｙ１の信号の“Ｈ”期間の設定がｍａｘ設定であった場合、異常検出フラグをセットし、ＬＥＤ基板１上のＬＥＤを消灯して、以後の読み取り動作を禁止する（ステップ１８１０〜１８１２）。
【００９８】
（７）ステップ１８０４または１８０８の判定で、差分の値がＴＨレベルを越えていなかった場合、検出された比較用の白部レベルが正常であると判断し、一旦、ＬＥＤ基板１上のＬＥＤを消灯制御し、ＬＥＤ基板２〜ＬＥＤ基板４上の各ＬＥＤについて、前述したＬＥＤ基板１上のＬＥＤの場合と同様に、異常の有無をチェックし、ＬＥＤ基板１〜ＬＥＤ基板４上のＬＥＤの全てが正常であった場合、全てのＬＥＤを点灯制御して、原稿の読み取り動作を実行して正常終了する。
【００９９】
実施例７では、１つのＬＥＤが不点灯となった場合に、正常点灯しているＬＥＤの光量を増加させるように制御して、光量を補うことにより、異常画像が発生しないように変形することができる。
【０１００】
因みに、上述した本発明の各実施例において、コントローラ１００は、異常判定部３１１からの異常検出結果を受けて、画像形成装置の操作部１０８の図示しない表示装置上に検出結果を表示することができる。また、コントローラ１００は、異常判定部３１１からの異常検出結果を受けて、異常発生時にカラー読み取りのみを停止し、モノクロ読み取りを許可するように制御することができる。
【０１０１】
また、上述した本発明の各実施例での各処理は、プログラムにより構成し、本発明が備えるコントローラに実行させることができ、また、それらのプログラムは、ＦＤ、ＣＤＲＯＭ、ＤＶＤ等の記録媒体に格納して提供することができ、また、ネットワークを介してディジタル情報により提供することができる。
【０１０２】
上述した本発明の各実施例によれば、複数の光源を有する画像読み取り装置の光源の不点灯、光量低下を精度良く検出し、読み取り動作を禁止することにより、異常な画像の発生を防止することができる。
【０１０３】
通常、電源投入時には、基準白データレベルを比較する比較手段が、比較するための基準データを有していないため、異常検出を行うことができないが、上述した本発明の各実施例によれば、前回の電源遮断前に保持されていた基準白部レベルを用いることができるので、電源投入時にも、設計の狙い通りの基準データを用いて光源の異常を検出することができる。
【０１０４】
一般に、経時的に、或いは温度変化に依存してＬＥＤの光量が変化し、それに伴って、読み取り装置の出力レベルが変化するが、上述した本発明の各実施例によれば、前回の基準白読み取りレベルを次回の比較データとすることにより、比較スレッシュレベル範囲を狭くすることが可能となり、さらなる検出精度の向上を図ることができる。
【０１０５】
また、装置を長年使用している場合、設計狙い値から実際の原稿読み取り装置からの出力レベルが低下するため、比較スレッシュレベル範囲を広くする必要があるが、上述した本発明の各実施例では、電源投入時の基準白データレベルの異常判定に電源遮断時の最終基準白レベルを使用することができるので、比較スレッシュレベル範囲を狭くすることが可能となり検出精度の向上をはかることができる。
【０１０６】
何れにせよ、本発明の各実施例の画像読み取り装置では、複数の発光体のうち１つが不点灯になった場合にも、発光体の不点灯を精度良く検出することができる。
【０１０７】
また、本発明の各実施例の画像読み取り装置では、異常検出のために比較する基準データを予め取得しておく必要をなくすことができ、不揮発性メモリが不要な簡易な構成で光源の異常を検出することが可能となる。
【０１０８】
更に、本発明の各実施例の画像読み取り装置では、複数の光源を個別に異常検出のために比較する基準データを用意することができ、複数の光源を順次点灯させ個別に比較して異常検出することができ、さらなる検出精度の向上及び不点灯の光源を特定することができる。
【０１０９】
加えて、本発明の各実施例の画像読み取り装置では、不点灯の発光体を特定し、不点灯の発光体による光量低下を補える位置の発光体の光量を調整することにより異常発生時でも正常な画像読み取りを行うことができる。
【０１１０】
その他、本発明の各実施例の画像読み取り装置では、何れも画像形成装置に備える適用が可能であり、しかも異常時の検出結果を操作部に表示することにより、異常内容をユーザに通知することができ、また、光量が低下しても影響の小さいモノクロモードを動作可能とし、カラーモードのみ動作停止することでダウンタイムの影響を少なくすることができる。
【符号の説明】
【０１１１】
２５  第２読み取り部
１００  コントローラ
３０１  センサＩＣ
３０２  信号処理ＩＣ
３０３  クランプ（ＣＬＭＰ）回路
３０４  サンプルホールド（ＳＨ）回路
３０５  プログラムグラマブルゲイン回路（ＰＧＡ）
３０６  ＡＤコンバータ
３０７  平均化処理部
３０８  第２保持部
３０９  第１保持部
３１０  差分検出器
３１１  異常判定部
【先行技術文献】
【特許文献】
【０１１２】
【特許文献１】特開２０００−３９６７９号公報
【特許文献２】特開２００２−３６８９５５号公報
【図１】
2011193514.tif 000003
【図２】
2011193514.tif 000004
【図３】
2011193514.tif 000005
【図４】
2011193514.tif 000006
【図５】
2011193514.tif 000007
【図６】
2011193514.tif 000008
【図７】
2011193514.tif 000009
【図８】
2011193514.tif 000010
【図９】
2011193514.tif 000011
【図１０】
2011193514.tif 000012
【図１１】
2011193514.tif 000013
【図１２】
2011193514.tif 000014
【図１３】
2011193514.tif 000015
【図１４】
2011193514.tif 000016
【図１５】
2011193514.tif 000017
【図１６】
2011193514.tif 000018
【図１７】
2011193514.tif 000019
【図１８】
2011193514.tif 000020